(57)【特許請求の範囲】
【請求項１】
炉底部に開口した噴口へ１次空気を供給するリングダクトを四周に具えたソーダ回収ボイラにおいて、前記リングダクトの各コーナ部にダンパを各々設けると共に、同リングダクトの一辺毎に圧力検出手段を設けその一辺毎に投入１次空気量を調節可能に構成したことを特徴とするソーダ回収ボイラ。
【発明の詳細な説明】
【０００１】
【発明の属する技術分野】
本発明は、炉底部に開口した噴口へ１次空気を供給するリングダクトを四周に具えたソーダ回収ボイラに関する。
【０００２】
【従来の技術】
図６にはソーダ回収ボイラ２５における燃料（黒液）の供給と空気供給のやり方の概念図を示す。燃料である黒液は、その中に２０〜３０％の水分を含んでいる上、図形物の発熱量自体も３０００〜３５００ｋｃａｌ／ｋｇ  と低い。
その為に、黒液供給口２２から炉内に供給された黒液は炉床に形成されるチャーベッド上で置き火燃焼されるように構成されている。
【０００３】
１次空気は、１次空気噴口２０からこのチャーベッドの裾野部へ供給されており、チャーベッドの形状維持及び安定燃焼に重要な役割を果たすものである。黒液供給口２２を挟んで２次空気口２１と３次空気口２３が設けられている。
【０００４】
１次空気は図７に示すようにボイラの四周壁に多数設置された１次空気噴口２０より供給されるが、四周壁から供給される空気のアンバランスを軽減させる為に、リングダクト９を四周に設けた構成となっており、更に空気の供給を調整させる為に各噴口（あるいは３〜４個の噴口）毎に噴口ダンパ（図示していない）をもっている。
【０００５】
なお、図７において、１０は分配ダクト、１１は空気ダクト、１２は予熱器、１３は押込み通風機（ＦＤＦ）を示し、図６の２４はスメルトを排出するスメルトスパウトを示している。
【０００６】
【発明が解決しようとする課題】
前記したように、ソーダ回収ボイラでは、１次空気は四周壁に設けられている多数の１次空気噴口から炉内へ供給される。各噴口からの空気量は、噴口部近くでの黒液の燃焼状況及びチャーベッドの裾野の形状を見て、各噴口毎あるいは、３〜４個の噴口に１個設置される噴口ダンパによって調整される。
【０００７】
１次空気噴口は、蒸発量２００Ｔ／Ｈ  以上のクラスで１００個以上、ダンパ数にすると３０個前後に及ぶ。このダンパは、その使い勝手及びダンパ数から現場手動となっているものがほとんどである。
【０００８】
回収ボイラでは、前述のとおり、炉床部にチャーベッドを形成させて、燃料である黒液をそこで燃焼させているが、時として黒液の性状が変化し、チャーベッドの形状がくずれたり、燃焼が不安定となったりする。また、プラントによっては昼夜帯での黒液処理量が異なり、チャーベッドの形状が変化する事がある。その為、ほとんどのボイラでは、この１次空気噴口のダンパのセッティングには、ある程度の余裕をもたせなければならない。
【０００９】
本発明は、炉床に形成されるチャーベッドの形状を安定に保って燃焼可能に構成したソーダ回収ボイラを提供することを課題としている。
【００１０】
【課題を解決するための手段】
本発明は、炉底部に開口した噴口へ１次空気を供給するリングダクトを四周に具えたソーダ回収ボイラにおける前記課題を解決するため、リングダクトの各コーナ部にダンパを各々設けると共に、同リングダクトの一辺毎に圧力検出手段を設け、その一辺毎に投入１次空気量を調節可能にした構成を採用する。
【００１１】
ソーダ回収ボイラにおける１次空気は、四周壁からの空気の供給を均一とする為に、図７に示すリングダクトにより供給されており、リングダクトへの空気の供給もリングダクト内の空気のアンバランスがないように工夫されている。
【００１２】
一方、前述のように黒液性状あるいは黒液供給量の変化による炉床チャーベッドの変化に対しては、時として四周壁毎の空気供給のバランスに差異をつけてやる必要がある。
【００１３】
本発明によるソーダ回収ボイラでは、前記したようにリングダクトの各コーナ部にダンパを設けてあるので、このダンパを調節することにより各リングダクトにおける空気圧をコントロールして炉床部チャーベッドの形状にあわせ、四周壁への空気供給のバランスを変化可能である。
【００１４】
従って、本発明のソーダ回収ボイラでは炉底に形成されるチャーベッドの形状を安定させ、その燃焼を安定して行わせてボイラの対流伝熱部（過熱器）へ飛んでいくキャリオーバダストの低減に寄与し、ボイラの連続操業を可能とする。
また、１次空気量を適正量に抑制する事は、低ＮＯｘ  及び高効率の観点から有効である。
【００１５】
【発明の実施の形態】
以下、本発明によるソーダ回収ボイラについて図１〜図３に示した実施の形態に基づいて具体的に説明する。なお、以下の実施の形態において、図７に示した従来の装置と同じ構成の部分には説明を簡単にするため同じ符号を付してあり、それらについての重複する説明は省略する。
【００１６】
（実施の第１形態）
図１に本発明の実施の第１形態によるソーダ回収ボイラにおける１次空気供給系統が示されている。
図１に見られるように、ボイラ下部の四周壁に設けられた１次空気噴口の周囲にリングダクト９が設けられている。このリングダクト９の四周部には分配ダンパ１〜８を備えている。また、各辺には圧力計１４が設けられている。
【００１７】
このリングダクト９には押込み通風機（ＦＤＦ）１３によって空気が送られ、予熱器１２により予熱され、空気ダクト１１を介して分配ダクト１０によりリングダクト９の四隅部へ接続されている。
【００１８】
このように構成された１次空気供給系統とすることにより、以下詳細に説明するように、ダンパ１〜８の開操作と閉操作を行ってボイラの一辺のみ（例えば缶前側のみ）に空気を多量に投入するなどによってチャーの燃焼を促進し、チャーベッドを常に正規の形状に整えることができる。
【００１９】
前記したように、ソーダ回収ボイラにおいて、燃料である黒液は炉床に形成されるチャーベッド上で置き火燃焼される。このチャーベッドの形状は、火炉サイズ、負荷、黒液性状によって異なるが、図４に示すごとく四周の裾野の寄り付きが均一で安定した形状を長期に保つことが、対流伝熱面に飛んでいくキャリオーバダストの低減、非ガス温度アンバランスの抑制、１次空気噴口の詰まり防止の観点からボイラ安定運用に有効といえる。
【００２０】
しかしながら、黒液性状あるいは黒液供給量が変化する時などには、時としてチャーベッドは、図５に示すような不均一な形状のものとなる。こういったチャーベッドの不均一な形状を長期に続ける事は、前述した観点からボイラ安定運用の妨げとなる事から、１次空気の四周の空気供給量を調整し、ただちに、図４に示すような安定なチャーベッド形状に是正する事が必要となる。
【００２１】
図５に示すように缶左側にチャーベッドが片寄った場合は缶右側の空気投入量を少くなるようにダンパ１〜８を制御する。つまり、図５に示すようにチャーベッドが缶左側に極端に寄りついている場合には、図１のダンパ３，４を開操作しダンパ１，２，５〜８を閉操作する事によりチャーベッドを図４に示す形状にととのえる。
【００２２】
また、このとき過度なダンパの操作を回避する為に、各面に設置されるドラフト計を見ながら操作量を調整する。近年チャーベッドカメラの信頼性向上によりチャーベッドの形状変化は中央にて容易に確認される為、上述のダンパ操作はチャーベッドカメラを見ながら中央操作にて容易に実施できる。
【００２３】
（実施の第２形態）
図２には、本発明の実施の第２形態によるソーダ回収ボイラにおける１次空気供給系統を示しており次にこれについて説明する。
図２に示した１次空気供給系統では、リングダクト９の一辺の一方側に分配用のダンパ１〜４を設け、分配用のダンパ５〜８を備えた分配ダクト１０をその一辺へ接続したものであって、その他は、図１の１次空気供給系統と同様である。
【００２４】
この図２の１次空気供給系統によっても、図１の１次空気供給系統と同じようにリングダクト９の一辺毎に投入１次空気量を調節可能である。
【００２５】
（実施の第３形態）
次に、図３には、本発明の実施の第３形態によるソーダ回収ボイラにおける１次空気供給系統を示してある。
この図３に示した１次空気供給系統では、そのリングダクト９の四隅部に３方弁（３方ダンパ）１５〜１８を設けている。
【００２６】
この３方弁１５〜１８は、内部にブレードを有し、そのブレードが左右及び中央に停止可能となっていて、左側へブレードを傾けると１方のみに空気が送られ、他方へは閉となると共に、中央にするとその両方へ空気が送られることになるものである。
【００２７】
この図３の１次空気供給系統によっても光に説明した図１及び図２の１次空気供給系統と同様にリングダクト９の一辺毎に投入空気量を調節することができる。
【００２８】
【発明の効果】
以上説明したように、本発明によるソーダ回収ボイラでは、１次空気を炉底部に供給するリングダクトの各コーナ部にダンパを設け、リングダクトの一辺毎に投入１次空気量を調節可能としており、そのダンパの開閉を制御して炉底に形成されるチャーベッドを所期の形状に安定して保つことができる。
【００２９】
ソーダ回収ボイラにおいて、炉床に形成されるチャーベッドを安定に燃焼させる事は、ボイラの対流伝熱部（過熱器）へ飛んでいくキャリオーバダストの低減に寄与し、ボイラの連続操業を可能とする。
また、１次空気量を適正量に抑制する事は、低ＮＯｘ  及び高効率の観点から有効である。
【００３０】
このように、本発明によるソーダ回収ボイラでは１次空気量の適正コントロールによりチャーベッドを安定させボイラの連続操業及び低ＮＯｘ  高効率運用を可能にする。
【図面の簡単な説明】
【図１】本発明の実施の第１形態によるソーダ回収ボイラにおける１次空気供給に関する系統図。
【図２】本発明の実施の第２形態によるソーダ回収ボイラにおける１次空気供給に関する系統図。
【図３】本発明の実施の第３形態によるソーダ回収ボイラにおける１次空気供給に関する系統図。
【図４】ソーダ回収ボイラ内のチャーベッドの安定した形状を示す斜視図。
【図５】ソーダ回収ボイラ内のチャーベッドの不均一な形状を示す斜視図。
【図６】ソーダ回収ボイラの燃料（黒液）及び空気供給の概念図。
【図７】従来のソーダ回収ボイラにおける１次空気供給を示す系統図。
【符号の説明】
１〜８        ダンパ
９            リングダクト
１０          分配ダクト
１１          空気ダクト
１２          予熱器
１３          押込み通風機
１４          圧力計
１５〜１８    ３方弁（３方ダンパ）
２０          １次空気噴口
２１          ２次空気口
２２          黒液供給口
２３          ３次空気口
２４          スメルトスパウト
２５          ソーダ回収ボイラ
【図１】
0003592853.tif 000002
【図２】
0003592853.tif 000003
【図３】
0003592853.tif 000004
【図４】
0003592853.tif 000005
【図５】
0003592853.tif 000006
【図６】
0003592853.tif 000007
【図７】
0003592853.tif 000008